(57)【要約】【課題】操作性を一層向上させた電子機器を提供する【解決手段】電子機器６ａは、筐体の動きを検出する加速度センサ５０と、ユーザのタッチを検出するタッチセンサ１０と、指定された音を再生するとともに、前記加速度センサによって筐体の動きが検出された場合に、第１の音を再生中の音に重畳させて再生し、前記タッチセンサによってユーザのタッチが検出された場合に、第２の音を再生中の音に重畳させて再生する再生部１４０とを備える。【選択図】図２
2013054334.tif 000002
【特許請求の範囲】
【請求項１】
筐体の動きを検出する加速度センサと、
ユーザのタッチを検出するタッチセンサと、
指定された音を再生するとともに、前記加速度センサによって筐体の動きが検出された場合に、第１の音を再生中の音に重畳させて再生し、前記タッチセンサによってユーザのタッチが検出された場合に、第２の音を再生中の音に重畳させて再生する再生部と
を備えることを特徴とする電子機器。
【請求項２】
請求項１に記載の電子機器において、
前記再生部による楽曲の再生中に、筐体の動きが検出された場合、前記再生部に、再生中の楽曲に重畳させて第１の効果音を再生させる第１の効果音重畳部と、
前記再生部による楽曲の再生中に、タッチが検出された場合、前記再生部に、再生中の楽曲に重畳させて第２の効果音を再生させる第２の効果音重畳部と
を備えることを特徴とする電子機器。
【請求項３】
請求項１又は請求項２に記載の電子機器において、
前記第１の効果音重畳部は、
前記再生部による楽曲の再生中に、筐体の動きが検出された場合、前記再生部に、筐体の動きに応じた第１の効果音を再生中の楽曲に重畳させて再生させ、
前記再生部による楽曲の再生中に、タッチが検出された場合、前記再生部に、タッチ位置又はタッチ方法に応じた第２の効果音を再生中の楽曲に重畳させて再生させることを特徴とする電子機器。
【請求項４】
請求項２又は請求項３に記載の電子機器において、
前記第１の効果音は、
楽器の演奏音、自然環境若しくは生活環境において生じる環境音、又は、人の掛け声の何れか音であって、
前記第２の効果音は、
前記演奏音、前記環境音、又は、前記掛け声のうち、前記筐体の動きに応じた効果音以外の音であることを特徴とする電子機器。
【請求項５】
請求項１に記載の電子機器において、
前記再生部による音の再生中に、前記筐体の動きが検出された場合、前記再生部に、再生中の音に重畳させて前記筐体の動きのテンポを表現する音を再生させることによって、前記再生中の音にテンポを付与するテンポ付与部と、
前記再生部によるテンポ付与後の音の再生中に、タッチが検出された場合、前記再生部に、再生中の前記テンポ付与後の音に重畳させて効果音を再生させることによって、再生中の前記テンポ付与後の音に効果音を付加する効果音付加部と
を備えることを特徴とする電子機器。
【請求項６】
請求項１から請求項５の何れか１項に記載の電子機器において、
ユーザによる筐体の把持態様を認識する把持態様認識部と、
前記把持態様認識部によって所定の把持態様が認識された場合に、前記再生中の音を録音する録音部と
を備えることを特徴とする電子機器。
【請求項７】
筐体の動きを検出する動き検出手段と、ユーザのタッチを検出するタッチ検出手段と、
楽曲の指定を受け付ける楽曲指定受付手段と、指定楽曲を再生する再生手段と、前記再生手段が再生している音を録音する録音手段と、前記再生手段に、筐体の動き又はタッチに応じた効果音を再生中の指定楽曲に重畳させて再生させる効果音重畳手段とを備え、
前記録音手段は、
前記再生手段が、指定楽曲に重畳させて効果音を再生している場合、指定楽曲に重畳させて効果音を録音し、
前記再生手段は、
録音された効果音重畳後の楽曲が楽曲指定受付手段によって指定された場合、指定楽曲として当該効果音重畳後の楽曲を再生し、
前記効果音重畳手段は、効果音重畳後の楽曲を再生中において、筐体の動き又はタッチに応じた効果音を再生中の効果音重畳後の楽曲に更に重畳させて再生させ、
前記録音手段は、
前記再生手段が、効果音重畳後の楽曲に更に重畳させて効果音を再生している場合、効果音重畳後の楽曲に更に重畳させて効果音を録音する
ことを特徴とする電子機器。
【発明の詳細な説明】
【技術分野】
【０００１】
本発明は、電子機器に関するものである。
【背景技術】
【０００２】
従来、種々のセンサを備える電子機器が知られている（例えば、特許文献１参照）。
【先行技術文献】
【特許文献】
【０００３】
【特許文献１】特開２０１０−２５０６０８号公報
【発明の概要】
【発明が解決しようとする課題】
【０００４】
しかしながら、従来の電子機器の場合、ユーザの操作性に改善の余地がある。本発明は、操作性を一層向上させた電子機器を提供する。
【課題を解決するための手段】
【０００５】
上記問題を解決するために、本発明の一実施形態に係る電子機器は、筐体の動きを検出する加速度センサと、ユーザのタッチを検出するタッチセンサと、指定された音を再生するとともに、前記加速度センサによって筐体の動きが検出された場合に、第１の音を再生中の音に重畳させて再生し、前記タッチセンサによってユーザのタッチが検出された場合に、第２の音を再生中の音に重畳させて再生する再生部とを備えることを特徴とする。
【０００６】
上記電子機器は、前記再生部による楽曲の再生中に、筐体の動きが検出された場合、前記再生部に、再生中の楽曲に重畳させて第１の効果音を再生させる第１の効果音重畳部と、前記再生部による楽曲の再生中に、タッチが検出された場合、前記再生部に、再生中の楽曲に重畳させて第２の効果音を再生させる第２の効果音重畳部とを備えるようにしてもよい。
【０００７】
上記電子機器は、前記第１の効果音重畳部は、前記再生部による楽曲の再生中に、筐体の動きが検出された場合、前記再生部に、筐体の動きに応じた第１の効果音を再生中の楽曲に重畳させて再生させ、前記再生部による楽曲の再生中に、タッチが検出された場合、前記再生部に、タッチ位置又はタッチ方法に応じた第２の効果音を再生中の楽曲に重畳させて再生させるようにしてもよい。
【０００８】
上記電子機器は、前記第１の効果音は、楽器の演奏音、自然環境若しくは生活環境において生じる環境音、又は、人の掛け声の何れか音であって、前記第２の効果音は、前記演奏音、前記環境音、又は、前記掛け声のうち、前記筐体の動きに応じた効果音以外の音であってもよい。
【０００９】
上記電子機器は、前記再生部による音の再生中に、前記筐体の動きが検出された場合、前記再生部に、再生中の音に重畳させて前記筐体の動きのテンポを表現する音を再生させることによって、前記再生中の音にテンポを付与するテンポ付与部と、前記再生部によるテンポ付与後の音の再生中に、タッチが検出された場合、前記再生部に、再生中の前記テンポ付与後の音に重畳させて効果音を再生させることによって、再生中の前記テンポ付与後の音に効果音を付加する効果音付加部とを備えるようにしてもよい。
【００１０】
上記電子機器は、ユーザによる筐体の把持態様を認識する把持態様認識部と、前記把持態様認識部によって所定の把持態様が認識された場合に、前記再生中の音を録音する録音部とを備えるようにしてもよい。
【００１１】
上記問題を解決するために、本発明の他の実施形態に係る電子機器は、筐体の動きを検出する動き検出手段と、ユーザのタッチを検出するタッチ検出手段と、楽曲の指定を受け付ける楽曲指定受付手段と、指定楽曲を再生する再生手段と、前記再生手段が再生している音を録音する録音手段と、前記再生手段に、筐体の動き又はタッチに応じた効果音を再生中の指定楽曲に重畳させて再生させる効果音重畳手段とを備え、前記録音手段は、前記再生手段が、指定楽曲に重畳させて効果音を再生している場合、指定楽曲に重畳させて効果音を録音し、前記再生手段は、録音された効果音重畳後の楽曲が楽曲指定受付手段によって指定された場合、指定楽曲として当該効果音重畳後の楽曲を再生し、前記効果音重畳手段は、効果音重畳後の楽曲を再生中において、筐体の動き又はタッチに応じた効果音を再生中の効果音重畳後の楽曲に更に重畳させて再生させ、前記録音手段は、前記再生手段が、効果音重畳後の楽曲に更に重畳させて効果音を再生している場合、効果音重畳後の楽曲に更に重畳させて効果音を録音することを特徴とする。
【発明の効果】
【００１２】
本発明によれば、操作性を一層向上させることができる。
【図面の簡単な説明】
【００１３】
【図１】本発明の第１の実施形態による電子機器６ａの外観模式図である。
【図２】電子機器６ａの機能ブロック図の一例である。
【図３】電子機器６ａの処理の流れを示すフローチャートの一例である。
【図４】表示画面１２に表示する画面例である。
【図５】本発明の第２の実施形態による電子機器６ｂの機能ブロック図の一例である。
【図６】テンポの付与、効果音の付加に関する説明図である
【図７】電子機器６ｂの処理の流れを示すフローチャートの一例である。
【図８】電子機器６ｂの処理の流れを示すフローチャートの一例である。
【発明を実施するための形態】
【００１４】
（第１の実施形態）
以下、図面を参照しながら本発明の第１の実施形態について説明する。図１は、本発明の第１の実施形態による電子機器６ａの外観模式図である。図２は、電子機器６ａの機能ブロック図の一例である。
【００１５】
電子機器６ａ（第２の実施形態による電子機器６ｂも同様）は、図１に示すように、前面部に、表示画面１２を有する。また、電子機器６ａは、図２に示すように、タッチセンサ（側面部１６用）２０、加速度センサ５０、表示部（タッチパネル）１００、把持態様認識部１２０、再生部１４０、音声出力部１５０、記憶部１８０、第１の効果音重畳部２３０、第２の効果音重畳部２４０、及び、録音部２７０を備える。
【００１６】
タッチセンサ２０は、筐体の各側面部１６に配置され、各側面部１６に対するタッチを検出する。加速度センサ５０は、筐体に加わる加速度を検出する。即ち、加速度センサ５０は、筐体の動きを検出する。表示部１００は、表示画面１２とタッチセンサ１０から構成される。表示画面１２は、種々の情報を表示する。タッチセンサ１０は、表示画面１２へのタッチを検出する。
【００１７】
把持態様認識部１２０は、ユーザによる筐体の把持態様を認識する。具体的には、把持態様認識部１２０は、各側面部１６のタッチ位置（タッチセンサ２０の検出値）に基づいて把持態様を認識する。
【００１８】
記憶部１８０は、種々の情報を記憶する。例えば、記憶部１８０は、楽曲、第１の効果音（後述）、第２の効果音（後述）、録音部２７０によって録音された楽曲（例えば、効果音重畳後の楽曲）を記憶する。効果音重畳後の楽曲とは、第１の効果音又は第２の効果音の少なくとも一方が重畳されている楽曲である。なお、効果音重畳後の楽曲と区別するため、第１の効果音又は第２の効果音の何れも重畳されていない楽曲を、効果音重畳前の楽曲とも称する。
【００１９】
第１の効果音は、例えば、楽器の演奏音、自然環境若しくは生活環境において生じる環境音、又は、人の掛け声のうち何れかの音である。第２の効果音は、当該種類（楽器の演奏音／環境音／人の掛け声）のうち、第１の効果音以外の何れかの音である。なお、楽器の演奏音の一例は、打楽器（例えば、ドラム）の音、弦楽器（例えば、エレキギター）の音、管楽器（例えば、トランペット）、鍵盤楽器（例えば、ピアノ）の音である。環境音の一例は、鳥獣類の鳴き声、気象現象（風雨、落雷）によって生じる音、拍手の音、歓声、爆発音、発射音、ドアのノック音、車両の走行音、種々の報知音（例えば、サイレン）、打ち上げ花火の音である。また、人の掛け声には、何らかのフレーズ（「ＣＯＭＥ  ＯＮ！」「ＨＥＲＥ  ＷＥ  ＧＯ！」「ｃｈｅｃｋ  ｉｔ  ｏｕｔ」）を構成するものの他、奇声、雄叫び等のフレーズを構成しないものも含まれる。
【００２０】
第１の効果音、及び、第２の効果音は、任意に設定し、記憶部１８０に記憶しておくが、種類（楽器の演奏音／環境音／人の掛け声）毎に、第１の効果音、及び、第２の効果音を設定する。即ち、第１の効果音、第２の効果音の設定は任意であるため、第１の効果音、及び、第２の効果音を種類と無関係に設定（例えば、演奏音の１つである打楽器の音を第１の効果音として設定し、同じく演奏音の１つである弦楽器の音を第２の効果音として設定）しても構わないが、種類毎に、第１の効果音、及び、第２の効果音を設定（例えば、演奏音を第１の効果音として設定し、人の掛け声を第２の効果音として設定）した方が、ユーザにとって分かり易く、好適である。なお、第１の効果音の重畳、及び、第２の効果音の重畳については後述する。
【００２１】
再生部１４０は、音を再生する。具体的には、再生部１４０は、タッチセンサ１０を介して受け付けたユーザからの指示（再生指示）に応じて、記憶部１８０に記憶されている楽曲を再生する。例えば、再生部１４０は、効果音重畳前のある曲（例えば曲Ａ）の再生指示に応じて、記憶部１８０から曲Ａを読み出して再生する。また例えば、再生部１４０は、効果音重畳後のある楽曲（例えば、曲Ａ’）の再生指示に応じて、記憶部１８０から曲Ａ’を読み出して再生する。
【００２２】
また、再生部１４０は、楽曲（効果音重畳前の楽曲、又は、効果音重畳後の楽曲）の再生中に、加速度センサ５０によって筐体の動きが検出された場合、再生中の楽曲とともに、第１の効果音（例えば、筐体の動きに応じた第１の効果音）を再生する。即ち、再生部１４０は、再生指示に係る楽曲の再生中に、ユーザが筐体を動かした場合、再生中の楽曲に重畳させて、第１の効果音を再生する。
なお、第１の効果音重畳部２３０の制御によって、再生部１４０は、再生中の楽曲に重畳させて、第１の効果音を再生する（詳細は後述）。
【００２３】
また、再生部１４０は、楽曲（効果音重畳前の楽曲、又は、効果音重畳後の楽曲）の再生中に、タッチセンサ１０によって表示画面１２へのタッチが検出された場合、再生中の楽曲とともに、第２の効果音（例えば、タッチ位置又はタッチ方法に応じた第２の効果音）を再生する。即ち、再生部１４０は、再生指示に係る楽曲の再生中に、ユーザが表示画面１２にタッチした場合、再生中の楽曲に重畳させて、第２の効果音を再生する。
なお、第２の効果音重畳部２４０の制御によって、再生部１４０は、再生中の楽曲に重畳させて、第２の効果音を再生する（詳細は後述）。
【００２４】
音声出力部１５０は、再生部１４０から出力される情報（再生部１４０によって再生される情報）に従って、音声を外部に出力する。
【００２５】
第１の効果音重畳部２３０は、再生部１４０による効果音重畳前の楽曲の再生中に、加速度センサ５０によって筐体の動き（例えば、所定の動き）が検出された場合、再生部１４０に、再生中の楽曲（効果音重畳前の楽曲）に重畳させて第１の効果音を再生させる。
具体的には、予め、記憶部１８０に、筐体の動き（例えば、動き方向）に対応付けて、夫々の第１の効果音を記憶しておく。そして、第１の効果音重畳部２３０は、効果音重畳前の楽曲の再生中に、筐体の動きが検出された場合、筐体の動きに応じた第１の効果音を記憶部１８０から読み出して、再生部１４０に出力する。
なお、再生部１４０は、効果音重畳前の楽曲の再生中に、第１の効果音を取得した場合、効果音重畳前の楽曲とともに、当該第１の効果音を再生する。即ち、再生部１４０は、効果音重畳前の楽曲に第１の効果音を重畳させて再生する。
【００２６】
同様に、第１の効果音重畳部２３０は、再生部１４０による効果音重畳後の楽曲の再生中に、加速度センサ５０によって筐体の動き（例えば、所定の動き）が検出された場合、効果音重畳前の楽曲の再生中に筐体の動きが検出された場合と同様、再生部１４０に、再生中の楽曲（効果音重畳後の楽曲）に重畳させて第１の効果音を再生させる。
なお、再生部１４０は、効果音重畳後の楽曲の再生中に、第１の効果音を取得した場合、効果音重畳後の楽曲とともに、当該第１の効果音を再生する。即ち、再生部１４０は、効果音重畳後の楽曲に第１の効果音を更に重畳させて再生する。
【００２７】
第２の効果音重畳部２４０は、再生部１４０による効果音重畳前の楽曲の再生中に、タッチセンサ１０によって表示画面１２へのタッチが検出された場合、再生部１４０に、再生中の楽曲（効果音重畳前の楽曲）に重畳させて第２の効果音を再生させる。
具体的には、予め、記憶部１８０に、タッチ（例えば、タッチ位置又はタッチ方法）に対応付けて、夫々の第２の効果音を記憶しておく。そして、第２の効果音重畳部２４０は、効果音重畳前の楽曲の再生中に、タッチが検出された場合、タッチに応じた第２の効果音を記憶部１８０から読み出して、再生部１４０に出力する。
なお、再生部１４０は、効果音重畳前の楽曲の再生中に、第２の効果音を取得した場合、効果音重畳前の楽曲とともに、当該第２の効果音を再生する。即ち、再生部１４０は、効果音重畳前の楽曲に第２の効果音を重畳させて再生する。
【００２８】
同様に、第２の効果音重畳部２４０は、再生部１４０による効果音重畳後の楽曲の再生中に、タッチセンサ１０によって表示画面１２へのタッチが検出された場合、効果音重畳前の楽曲の再生中にタッチが検出された場合と同様、再生部１４０に、再生中の楽曲（効果音重畳後の楽曲）に重畳させて第２の効果音を再生させる。
なお、再生部１４０は、効果音重畳後の楽曲の再生中に、第２の効果音を取得した場合、効果音重畳後の楽曲とともに、当該第２の効果音を再生する。即ち、再生部１４０は、効果音重畳後の楽曲に第２の効果音を更に重畳させて再生する。
【００２９】
従って、ユーザは、楽曲（効果音重畳前の楽曲、又は、効果音重畳後の楽曲）の再生中の所望のタイミングにおいて、例えば、所望の第１の効果音に対応する動き方向に筐体を動かすことによって、再生中の楽曲の所望の時間的な位置に、所望の第１の効果音を重畳させて再生させることができる。また、ユーザは、楽曲（効果音重畳前の楽曲、又は、効果音重畳後の楽曲）の再生中の所望のタイミングにおいて、例えば、所望の第２の効果音に対応する表示画面１２上の位置（例えば、第２の効果音毎のボタン）をタッチすることによって、再生中の楽曲の所望の時間的な位置に、所望の第２の効果音を重畳させて再生させることができる。
【００３０】
録音部２７０は、再生中の音を録音する。具体的には、把持態様認識部１２０によって所定の把持態様が認識された場合に、再生中の音を録音する。
【００３１】
例えば、録音部２７０は、再生部１４０が効果音重畳前の楽曲に効果音（第１の効果音又は第２の効果音）を重畳させて再生している場合において、所定の把持態様が認識されたときは、効果音重畳後の楽曲（効果音重畳前の楽曲に効果音が重畳したもの）を録音する。また、録音部２７０は、再生部１４０が、効果音重畳後の楽曲に効果音（第１の効果音又は第２の効果音）を更に重畳させて再生している場合において、所定の把持態様が認識されたときは、効果音重畳後の楽曲（効果音重畳後の楽曲に更に効果音が重畳したもの）を録音する。
【００３２】
なお、把持態様認識部１２０は、各側面部１６のタッチ位置（タッチセンサ２０の検出値）が所定のタッチ位置である場合に、ユーザによる筐体の把持態様が、所定の把持態様であると認識する。
【００３３】
図３は、電子機器６ａの処理の流れを示すフローチャートの一例である。再生部１４０は、タッチセンサ１０を介して楽曲の再生指示を受け付ける（ステップＳ５００）。再生部１４０は、再生指示に係る楽曲を記憶部１８０から読み出して再生を開始する（ステップＳ５０２）。なお、再生部１４０は、再生終了と判断（ステップＳ５６０：Ｎｏ）される迄、当該楽曲を再生し続ける。
【００３４】
把持態様認識部１２０は、ユーザによる筐体の把持態様が、所定の把持態様であるか否かを判断する（ステップＳ５０４）。
【００３５】
所定の把持態様でない場合（ステップＳ５０４：Ｎｏ）、第１の効果音重畳部２３０は、加速度センサ５０によって筐体の動きが検出されたか否かを判断する（ステップＳ５１０）。
【００３６】
筐体の動きが検出された場合（ステップＳ５１０：Ｙｅｓ）、第１の効果音重畳部２３０は、再生部１４０に、再生中の楽曲に重畳させて筐体の動きに応じた第１の効果音を再生させる。換言すれば、再生部１４０は、再生中の楽曲に重畳させて、筐体の動きに応じた第１の効果音を再生する（ステップＳ５１２）。なお、第１の効果音重畳部２３０は、筐体の動きが検出されている間、第１の効果音を再生させる。即ち、再生部１４０は、筐体の動きが検出されている間、第１の効果音を再生する。
【００３７】
一方、筐体の動きが検出されなかった場合（ステップＳ５１０：Ｎｏ）、ステップＳ５１２の処理を飛ばしてステップＳ５２０に進む。
【００３８】
ステップＳ５１２又はステップＳ５１０（Ｎｏ）に続いて、第２の効果音重畳部２４０は、タッチセンサ１０によって表示画面１２へのタッチが検出されたか否かを判断する（ステップＳ５２０）。
【００３９】
タッチが検出された場合（ステップＳ５２０：Ｙｅｓ）、第２の効果音重畳部２４０は、再生部１４０に、再生中の楽曲に重畳させてタッチに応じた第２の効果音を再生させる。換言すれば、再生部１４０は、再生中の楽曲に重畳させて、タッチに応じた第２の効果音を再生する（ステップＳ５２２）。なお、第２の効果音重畳部２４０は、タッチ後の所定時間（若しくは、第２の効果音がフレーズの如く数えられる場合にはタッチ時に１回）、第２の効果音を再生させる。即ち、再生部１４０は、タッチ後の所定時間（若しくは、第２の効果音がフレーズの如く数えられる場合にはタッチ時に１回）、第２の効果音を再生する。
【００４０】
一方、タッチが検出されなかった場合（ステップＳ５２０：Ｎｏ）、ステップＳ５２２の処理を飛ばしてステップＳ５６０に進む。
【００４１】
一方、所定の把持態様である場合（ステップＳ５０４：Ｙｅｓ）、録音部２７０は、再生中の楽曲の録音を開始する（ステップＳ５３０）。なお、録音部２７０は、所定の把持態様でないと判断（ステップＳ５０４：Ｎｏ）される迄、録音し続ける。また、録音部２７０は、楽曲の録音中に、再生部１４０が第１の効果音又は第２の効果音を再生したときは、楽曲とともに再生された効果音を録音する。
【００４２】
ステップＳ５３０に続いて、第１の効果音重畳部２３０は、加速度センサ５０によって筐体の動きが検出されたか否かを判断する（ステップＳ５４０）。
【００４３】
筐体の動きが検出された場合（ステップＳ５４０：Ｙｅｓ）、ステップＳ５１２と同様、第１の効果音重畳部２３０は、再生部１４０に、再生中の楽曲に重畳させて筐体の動きに応じた第１の効果音を再生させる。これにより、再生部１４０は、再生中の楽曲に重畳させて、筐体の動きに応じた第１の効果音を再生し、録音部２７０は、再生中の楽曲に重畳させて、筐体の動きに応じた第１の効果音を録音する（ステップＳ５２２）。
【００４４】
一方、筐体の動きが検出されなかった場合（ステップＳ５４０：Ｎｏ）、ステップＳ５４２の処理を飛ばしてステップＳ５５０に進む。
【００４５】
ステップＳ５４２又はステップＳ５４０（Ｎｏ）に続いて、第２の効果音重畳部２４０は、タッチセンサ１０によって表示画面１２へのタッチが検出されたか否かを判断する（ステップＳ５５０）。
【００４６】
タッチが検出された場合（ステップＳ５５０：Ｙｅｓ）、ステップＳ５２２と同様、第２の効果音重畳部２４０は、再生部１４０に、再生中の楽曲に重畳させてタッチに応じた第２の効果音を再生させる。これにより、再生部１４０は、再生中の楽曲に重畳させて、タッチに応じた第２の効果音を再生し、録音部２７０は、再生中の楽曲に重畳させて、タッチに応じた第２の効果音を録音する（ステップＳ５５２）。
【００４７】
一方、タッチが検出されなかった場合（ステップＳ５５０：Ｎｏ）、ステップＳ５５２の処理を飛ばしてステップＳ５６０に進む。
【００４８】
ステップＳ５２２、ステップＳ５２０（Ｎｏ）、ステップＳ５５２、又は、ステップＳ５５０（Ｎｏ）に続いて、再生終了であるか否かを判断する（ステップＳ５６０）。例えば、再生部１４０は、楽曲を最後まで再生した場合やタッチセンサ１０を介して再生を終了する旨の指示を受け付けた場合、再生終了であると判断する。再生終了でない場合（ステップＳ５６０：Ｎｏ）、ステップＳ５０４に戻る。一方、再生終了の場合（ステップＳ５６０：Ｙｅｓ）、本フローチャートは終了する。
【００４９】
つまり、電子機器６ａは、筐体の動きを検出する動き検出手段（加速度センサ５０と、ユーザのタッチを検出するタッチ検出手段（タッチセンサ１０）と、楽曲の指定を受け付ける楽曲指定受付手段（タッチセンサ１０）と、指定楽曲を再生する再生手段（再生部１４０）と、ユーザによる筐体の把持態様を認識する把持態様認識手段（把持態様認識部１２０）と、ユーザによる把持態様が所定の把持態様であった場合に、再生手段が再生している音を録音する録音手段（録音部２７０）と、再生手段に、筐体の動き又はタッチに応じた効果音（第１の効果音、第２の効果音）を再生中の指定楽曲に重畳させて再生させる効果音重畳手段（第１の効果音重畳部２３０、第２の効果音重畳部２４０）と、とを備える。
【００５０】
再生手段が指定楽曲に重畳させて効果音を再生しているときに、ユーザの把持態様が所定の把持態様であった場合に、録音手段は、再生している効果音重畳後の楽曲（指定楽曲に効果音を重畳させた音）を録音する。なお、効果音重畳後の楽曲は、記憶部１８０に記憶される。その後、録音された効果音重畳後の楽曲（即ち、記憶部１８０に記憶されている効果音重畳後の楽曲）が楽曲指定受付手段によって指定された場合、再生手段は、指定楽曲として当該効果音重畳後の楽曲を再生する。効果音重畳後の楽曲を再生中において、効果音重畳手段は、筐体の動き又はタッチに応じた効果音を再生中の効果音重畳後の楽曲に更に重畳させて再生させる。また、再生手段が効果音重畳後の楽曲に更に重畳させて効果音を再生しているときに、ユーザの把持態様が所定の把持態様であった場合に、録音手段は、再生している効果音重畳後の楽曲（効果音重畳後の楽曲に更に効果音を重畳させた音）を録音する。なお、効果音重畳後の楽曲は、記憶部１８０に記憶される。
【００５１】
図４は、表示画面１２に表示される画面例である。具体的には、効果音の重畳する際に表示する画面例である。
効果音の重畳する際に表示する画面（効果音重畳画面）には、例えば、図４（ａ）（ｂ）に示すように、インジケータを設ける。インジケータ内の「ＴＲＫ１」「ＴＲＫ２」「ＴＲＫ３」「ＴＲＫ４」は、選択可能なトラックを示す。各トラックには、第１、第２の効果音が１つずつアサインされている。即ち、記憶部１８０に、各トラックに対応付けて、第１の効果音、第２の効果音を１つずつ記憶しておく。
【００５２】
ユーザは、楽曲操作画面（非図示）において所望の楽曲を選択し、効果音重畳画面においてタップによりトラックを選択する。図４（ａ）（ｂ）の例では、トラック１が選択されている。なお、トラックをキャンセル／クリアするにはトラックを再度選択する。
【００５３】
楽曲の再生中に、ユーザが筐体をシェイクする（振る）と、選択済みのトラックにアサインされた第１の効果音が再生される。つまり、楽曲に重畳して第１の効果音が再生される。また、楽曲の再生中に、ユーザが表示画面１２の所定領域（例えば、図４（ａ）に示す破線枠内）をタップ（タッチ）すると、選択済みのトラックにアサインされた第２の効果音が再生される。つまり、楽曲に重畳して第２の効果音が再生される。
【００５４】
なお、各トラックには、第１、第２の効果音が１つずつアサインされていると説明したが、各トラックに、２以上の第１、第２の効果音をアサインしてもよい。例えば、シェイクの向き（縦／横）に応じて、夫々異なる、第１の効果音をアサインしてもよい。また、例えば、タップ位置（例えば、図４（ａ）に示す４つの一点鎖線枠内）に応じて、夫々異なる第２の効果音をアサインしてもよい。
また、多数の効果音をライブラリに格納しておき（また、随時、ユーザが、ライブラリに追加できるようにしておき）、各トラックにアサインする効果音をユーザが選択できるようにしてもよい。
【００５５】
また、図４（ｂ）に示すように、所定の把持態様として、ユーザが、上部の側面部１６にタッチしている間、レコーディング状態（録音中）となる。レコーディング状態では、インジゲータが点灯する（例えば、赤色に点灯する）。また、レコーディング状態において、効果音を付ける（重畳させる）際の、ユーザに対する補助として、ユーザの選択により、テンポを刻むメトロノームの音を再生してもよい。
【００５６】
再生楽曲と効果音とは、自動クォンタイズにより、テンポがあうように制御する。レコーディングしながら、シェイク／タップを行うという動作を、トラックを切り替えて繰り返すことによって、所望の楽曲に対し、効果音を段々と重ねていくことができる。なお、楽曲全体をレコーディングしてから、再度、再生するのではなく、再生楽曲の一定範囲（例えば、２小節分）を切り取って、自動リピート（再生）するようにしてもよい。これにより、一定範囲を対象に、素早く、効果音を重ねることができる。また、自動リピート中にトラックを切り替えれば、一定範囲について、多くの効果音を重ねることができる。
【００５７】
以上、電子機器６ａによれば、簡便かつ楽しく、所望の楽曲に所望の効果音を入れることができる。例えば、タンバリン、マラカスの如く電子機器６ａを扱って、一人多重奏パフォーマンスを行うことができる。
【００５８】
（第２の実施形態）
続いて、図面を参照しながら本発明の第２の実施形態について説明する。図５は、本発明の第２の実施形態による電子機器６ｂの機能ブロック図の一例である。図６は、テンポの付与、効果音の付加に関する説明図である。なお、電子機器６ｂの外観は、第１の実施形態による電子機器６ａと同様である。
【００５９】
電子機器６ｂは、図５に示すように、タッチセンサ（側面部１６用）２０、加速度センサ５０、表示部（タッチパネル）１００、把持態様認識部１２０、再生部１４２、音声出力部１５０、記憶部１９０、テンポ付与部２５０、効果音付加部２６０、及び、録音部２７０を備える。なお、タッチセンサ２０、加速度センサ５０、表示部１００、把持態様認識部１２０、音声出力部１５０、及び、録音部２７０は、第１の実施形態による電子機器６ａと同様であるため、説明の一部又は全部を省略する。
【００６０】
記憶部１９０は、種々の情報を記憶する。例えば、記憶部１９０は、楽曲、音、テンポを表現する音、効果音、録音部２７０によって録音された音（例えば、テンポ付与後の音（後述）、効果音付加後の音（後述））を記憶する。
【００６１】
再生部１４２は、音を再生する。具体的には、再生部１４２は、タッチセンサ１０を介して受け付けたユーザからの指示（再生指示）に応じて、記憶部１９０に記憶されている音（ピアノなどの音）を再生する。
【００６２】
また、再生部１４２は、音（例えば、ピアノなどの音）の再生中に、加速度センサ５０によって筐体の動きが検出された場合、再生中の音とともに、筐体の動きのテンポを表現する音（例えば、ドラムなどの音）を再生する。即ち、再生部１４２は、再生指示に係る音の再生中に、ユーザが筐体を動かした場合、再生中の音に重畳させて、筐体の動きのテンポを表現する音を再生する。これにより、再生中の音にテンポを付与される。
なお、テンポ付与部２５０の制御によって、再生部１４２は、再生中の音に重畳させて、テンポを表現する音を再生する（詳細は後述）。
【００６３】
また、再生部１４２は、テンポ付与後の音の再生中に、タッチセンサ１０によって表示画面１２へのタッチが検出された場合、テンポ付与後の音とともに、効果音（例えば、タッチ位置又はタッチ方法に応じた効果音）を再生する。即ち、再生部１４２は、テンポ付与後の音の再生中に、ユーザが表示画面１２にタッチした場合、再生中のテンポ付与後の音に重畳させて、効果音を再生する。これにより、テンポ付与後の音に効果音が付加される。
なお、効果音付加部２６０の制御によって、再生部１４２は、再生中のテンポ付与後の音に重畳させて、効果音を再生する（詳細は後述）。
【００６４】
テンポ付与部２５０は、図６に示すように、再生部１４２によって再生中の音（テンポ付与前のベースとなる音）に、加速度センサ５０によって検出された筐体の動きのテンポに基づいてテンポを付与する。具体的には、テンポ付与部２５０は、筐体の動きのテンポと同じテンポの音を再生部１４２に出力する。なお、テンポ付与前の音は、上述の如く、ピアノなどの音であって、音の種類別に複数あってもよい。従って、ユーザは、必要に応じて、楽器毎に異なるテンポを付加したり、複数の楽器の音に同一のテンポを付加したりすることができる。
【００６５】
効果音付加部２６０は、図６に示すように、再生部１４２によって再生中のテンポ付与後の音に、表示画面１２へのタッチに基づいて効果音を付加する。具体的には、効果音付加部２６０は、表示画面１２をタッチしたタイミングで（タッチしたときの時間的な位置に）、効果音を付加する。具体的には、効果音付加部２６０は、効果音を再生部１４２に出力する。なお、効果音は、第１の実施形態による電子機器６ａにおける、第１の効果音又は第２の効果音などであってもよい。また、例えば、表示画面１２に効果音毎のボタンを表示すれば、ユーザは再生中の所望のタイミングで所望の効果音のボタンをタッチし、適宜、効果音を付加することができる。
【００６６】
録音部２７０は、再生中の音を録音する。例えば、録音部２７０は、再生部１４２による再生中に、把持態様認識部１２０によって所定の把持態様が認識された場合、テンポ付与部２５０によってテンポが付与されたテンポ付与後の音、又は、効果音付加部２６０によって効果音が付加された効果音付加後の音を録音する。
【００６７】
図７、図８は、電子機器６ｂの処理の流れを示すフローチャートの一例である。図７のフローチャートはテンポ付与に関する処理、図８のフローチャートは効果音付加に関する処理を表している。
【００６８】
図７において、再生部１４２は、タッチセンサ１０を介してベースとなる音の再生指示を受け付ける（ステップＳ１５００）。再生部１４２は、再生指示に係るベースとなる音を記憶部１９０から読み出して再生を開始する（ステップＳ１５０２）。なお、再生部１４２は、再生終了と判断（ステップＳ１５６０：Ｎｏ）される迄、ベースとなる音を再生し続ける。
【００６９】
把持態様認識部１２０は、ユーザによる筐体の把持態様が、所定の把持態様であるか否かを判断する（ステップＳ１５０４）。
【００７０】
所定の把持態様でない場合（ステップＳ１５０４：Ｎｏ）、テンポ付与部２５０は、加速度センサ５０によって筐体の動きが検出されたか否かを判断する（ステップＳ１５１０）。
【００７１】
筐体の動きが検出された場合（ステップＳ１５１０：Ｙｅｓ）、テンポ付与部２５０は、再生部１４２に、ベースとなる音に重畳させて、筐体の動きのテンポを表現する音を再生させる。換言すれば、テンポ付与部２５０は、ベースとなる音にテンポを付与する（ステップＳ１５１２）。
【００７２】
一方、筐体の動きが検出されなかった場合（ステップＳ１５１０：Ｎｏ）、ステップＳ１５１２の処理を飛ばしてステップＳ１５６０に進む。
【００７３】
一方、所定の把持態様である場合（ステップＳ１５０４：Ｙｅｓ）、録音部２７０は、再生中の音の録音を開始する（ステップＳ１５３０）。なお、録音部２７０は、所定の把持態様でないと判断（ステップＳ１５０４：Ｎｏ）される迄、録音し続ける。また、録音部２７０は、ベースとなる音の録音中に、テンポ付与部２５０がテンポを付与したときは（再生部１４２がベースとなる音に重畳させてテンポを表現する音を再生したときは）、ベースとなる音とともにテンポを表現する音を録音する。
【００７４】
ステップＳ１５３０に続いて、テンポ付与部２５０は、加速度センサ５０によって筐体の動きが検出されたか否かを判断する（ステップＳ１５３０）。
【００７５】
筐体の動きが検出された場合（ステップＳ１５４０：Ｙｅｓ）、ステップＳ１５１２と同様、テンポ付与部２５０は、ベースとなる音にテンポを付与する（ステップＳ１５４２）。また、ステップＳ１５１２と異なり、録音部２７０は、テンポ付与後の音を録音する（ステップＳ１５４２）。
【００７６】
一方、筐体の動きが検出されなかった場合（ステップＳ１５４０：Ｎｏ）、ステップＳ１５４２の処理を飛ばしてステップＳ１５６０に進む。
【００７７】
ステップＳ１５１２、ステップＳ１５１０（Ｎｏ）、ステップＳ１５４２、又は、ステップＳ１５４０（Ｎｏ）に続いて、再生終了であるか否かを判断する（ステップＳ１５６０）。例えば、再生部１４２は、ベースとなる音を最後まで再生した場合やタッチセンサ１０を介して再生を終了する旨の指示を受け付けた場合、再生終了であると判断する。再生終了でない場合（ステップＳ１５６０：Ｎｏ）、ステップＳ１５０４に戻る。一方、再生終了の場合（ステップＳ１５６０：Ｙｅｓ）、本フローチャートは終了する。
【００７８】
図８において、再生部１４２は、タッチセンサ１０を介してテンポ付与後の音の再生指示を受け付ける（ステップＳ２５００）。再生部１４２は、再生指示に係るテンポ付与後の音を記憶部１９０から読み出して再生を開始する（ステップＳ２５０２）。なお、再生部１４２は、再生終了と判断（ステップＳ２５６０：Ｎｏ）される迄、テンポ付与後の音を再生し続ける。
【００７９】
把持態様認識部１２０は、ユーザによる筐体の把持態様が、所定の把持態様であるか否かを判断する（ステップＳ２５０４）。
【００８０】
所定の把持態様でない場合（ステップＳ２５０４：Ｎｏ）、効果音付加部２６０は、タッチセンサ１０によって表示画面１２へのタッチが検出されたか否かを判断する（ステップＳ２５２０）。
【００８１】
タッチが検出された場合（ステップＳ２５２０：Ｙｅｓ）、効果音付加部２６０は、再生部１４２に、再生中の楽曲に重畳させてタッチに応じた効果音を再生させる。換言すれば、効果音付加部２６０は、テンポ付与後の音に効果音を付加する（ステップＳ２５２２）。なお、効果音付加部２６０は、タッチ後の所定時間（若しくは、効果音がフレーズの如く数えられる場合にはタッチ時に１回）、効果音を再生させる。
【００８２】
一方、タッチが検出されなかった場合（ステップＳ２５２０：Ｎｏ）、ステップＳ２５２２の処理を飛ばしてステップＳ２５６０に進む。
【００８３】
一方、所定の把持態様である場合（ステップＳ２５０４：Ｙｅｓ）、録音部２７０は、再生中の音の録音を開始する（ステップＳ２５３０）。なお、録音部２７０は、所定の把持態様でないと判断（ステップＳ２５０４：Ｎｏ）される迄、録音し続ける。また、録音部２７０は、テンポ付与後の音の録音中に、効果音付加部２６０が効果音を付加したときは（再生部１４２がテンポ付与後の音に重畳させて効果音を再生したときは）、テンポ付与後の音とともに効果音を録音する。
【００８４】
ステップＳ２５３０に続いて、効果音付加部２６０は、タッチセンサ１０によって表示画面１２へのタッチが検出されたか否かを判断する（ステップＳ２５５０）。
【００８５】
タッチが検出された場合（ステップＳ２５５０：Ｙｅｓ）、ステップＳ２５２２と同様、効果音付加部２６０は、テンポ付与後の音に効果音を付加する（ステップＳ２５５２）。また、ステップＳ２５２２と異なり、録音部２７０は、効果音付加後の音を録音する（ステップＳ２５５２）。
【００８６】
一方、タッチが検出されなかった場合（ステップＳ２５５０：Ｎｏ）、ステップＳ２５５２の処理を飛ばしてステップＳ２５６０に進む。
【００８７】
ステップＳ２５２２、ステップＳ２５２０（Ｎｏ）、ステップＳ２５５２、又は、ステップＳ２５５０（Ｎｏ）に続いて、再生終了であるか否かを判断する（ステップＳ２５６０）。例えば、再生部１４２は、効果音付加後の音を最後まで再生した場合やタッチセンサ１０を介して再生を終了する旨の指示を受け付けた場合、再生終了であると判断する。再生終了でない場合（ステップＳ２５６０：Ｎｏ）、ステップＳ２５０４に戻る。一方、再生終了の場合（ステップＳ２５６０：Ｙｅｓ）、本フローチャートは終了する。
【００８８】
以上、電子機器６ｂによれば、ユーザは、最初に、ベースとなる音を再生しつつ、所定の把持態様で筐体を把持しながら筐体を振るなどして再生中のベースとなる音にテンポを付けて録音し、続いて、録音したテンポ付与後の音を再生しつつ、所定の把持態様で筐体を把持しながら表示画面１２をタッチして、再生中のテンポ付与後の音に更に効果音を付加することができる。
【００８９】
なお、本発明の実施形態による電子機器６ａ、電子機器６ｂの処理を実行するためのプログラムをコンピュータ読み取り可能な記録媒体に記録して、当該記録媒体に記録されたプログラムをコンピュータシステムに読み込ませ、実行することにより、本発明の実施形態による電子機器６ａ、電子機器６ｂに係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
６ａ、６ｂ…電子機器  １０…タッチセンサ  １２…表示画面  １６…側面部  ２０…タッチセンサ（側面部用）  ５０…加速度センサ  １００…表示部  １２０…把持態様認識部  １４０、１４２…再生部  １５０…音声出力部  １８０、１９０…記憶部  ２３０…第１の効果音重畳部  ２４０…第２の効果音重畳部  ２５０…テンポ付与部  ２６０…効果音付加部  ２７０…録音部
【図１】
2013054334.tif 000003
【図２】
2013054334.tif 000004
【図３】
2013054334.tif 000005
【図４】
2013054334.tif 000006
【図５】
2013054334.tif 000007
【図６】
2013054334.tif 000008
【図７】
2013054334.tif 000009
【図８】
2013054334.tif 000010